(57)【特許請求の範囲】
【請求項１】
回線交換ドメインサービスをパケット交換ドメインにハンドオーバする方法であって、
サービスネットワーク基地局システムが、ユーザ装置（ＵＥ：Ｕｓｅｒ  Ｅｑｕｉｐｍｅｎｔ）の回線交換（ＣＳ：Ｃｉｒｃｕｉｔ  Ｓｗｉｔｃｈ）ドメインサービスをターゲットネットワークのＰＳドメインにハンドオーバすることを決定した場合、ＨＯ−Ｐｒｏｘｙが、前記ＵＥに対するＣＳドメインサービスハンドオーバ要求を受信し、
前記ＨＯ−Ｐｒｏｘｙが、前記ＵＥのＣＳドメインサービスをターゲットネットワークのＰＳドメインにハンドオーバするようにターゲットネットワーク制御エンティティに要求し、又は、前記ＨＯ−Ｐｒｏｘｙが、前記ＵＥのＣＳドメインサービスをターゲットネットワークのＰＳドメインにハンドオーバする
ことを特徴とする方法。
【請求項２】
前記方法は、
前記サービスネットワーク基地局システムが前記ＵＥのＣＳドメインサービスをターゲットネットワークのＰＳドメインにハンドオーバすることを決定する前に、
前記ＵＥが、ＩＰマルチメディアサブシステム（ＩＭＳ：ＩＰ  Ｍｕｌｔｉｍｅｄｉａ  Ｃｏｒｅ  Ｎｅｔｗｏｒｋ  Ｓｕｂｓｙｓｔｅｍ）ネットワークを介してサービスネットワーク又はターゲットネットワークにおいてベアラを確立し、若しくはＩＭＳセッションを開始し、若しくはサービスネットワーク又はターゲットネットワークにおいてベアラを直接に確立するステップ
をさらに含むことを特徴とする請求項１に記載の方法。
【請求項３】
前記方法は、
前記ＵＥがＰＳドメインサービスをさらに有する場合、前記ＨＯ−Ｐｒｏｘｙが、前記ＵＥに対するＰＳドメインサービスハンドオーバ要求を受信するステップと、
前記ＨＯ−Ｐｒｏｘｙが、前記ＵＥのＣＳドメインと前記ＵＥのＰＳドメインサービスとをターゲットネットワークのＰＳドメインにハンドオーバするようにターゲットネットワーク制御エンティティに要求し、又は、前記ＨＯ−Ｐｒｏｘｙが、前記ＵＥのＣＳドメインサービスと前記ＵＥのＰＳドメインサービスとをターゲットネットワークのＰＳドメインにハンドオーバするステップと
をさらに含むことを特徴とする請求項１に記載の方法。
【請求項４】
前記ＵＥに対するＰＳドメインサービスハンドオーバ要求には、前記ＵＥがＣＳドメインサービスを有するか否かを示す識別情報が含まれ、及び／又は、前記ＵＥに対するＣＳドメインサービスハンドオーバ要求には、前記ＵＥがＰＳドメインサービスを有するか否かを示す識別情報が含まれる
ことを特徴とする請求項３に記載の方法。
【請求項５】
前記ＨＯ−Ｐｒｏｘｙが前記ＵＥに対するＣＳドメインサービスハンドオーバ要求を受信するステップでは、
前記ＵＥに対するＣＳドメインサービスハンドオーバ要求が、前記サービスネットワーク基地局システムからの、前記ＨＯ−Ｐｒｏｘｙに関連付け可能な情報を含むＣＳドメインサービスハンドオーバ要求によってトリガーされ、又は、
前記ＵＥに対するＣＳドメインサービスハンドオーバ要求が、前記サービスネットワーク基地局システムからのＣＳドメインサービスハンドオーバ要求であり、又は、
前記ＵＥに対するＣＳドメインサービスハンドオーバ要求が、前記サービスネットワークＭＳＣからのＣＳドメインサービスハンドオーバ要求であり、且つ前記サービスネットワークＭＳＣからのＣＳドメインサービスハンドオーバ要求が、前記サービスネットワーク基地局システムからのＣＳドメインサービスハンドオーバ要求によってトリガーされる
ことを特徴とする請求項１に記載の方法。
【請求項６】
前記ＨＯ−Ｐｒｏｘｙが受信した前記ＵＥに対するＣＳドメインサービスハンドオーバ要求とＰＳドメインサービスハンドオーバ要求は、
前記ＵＥに対するＣＳドメインサービスハンドオーバ要求とＰＳドメインサービスハンドオーバ要求が、前記サービスネットワーク基地局システムからの、前記ＨＯ−Ｐｒｏｘｙに関連付け可能な情報を含むＣＳドメインサービスハンドオーバ要求とＰＳドメインサービスハンドオーバ要求とによってトリガーされ、又は、
前記ＵＥに対するＣＳドメインサービスハンドオーバ要求が、前記サービスネットワーク基地局システムからのＣＳドメインサービスハンドオーバ要求であり、且つ前記ＵＥに対するＰＳドメインサービスハンドオーバ要求が、サービスネットワークＳＧＳＮからのＰＳドメインサービスハンドオーバ要求であり、且つ前記サービスネットワークＳＧＳＮからのＰＳドメインサービスハンドオーバ要求が、前記サービスネットワーク基地局システムからのＰＳドメインサービスハンドオーバ要求によってトリガーされ、又は、
前記ＵＥに対するＣＳドメインサービスハンドオーバ要求が、前記サービスネットワークＭＳＣからのＣＳドメインサービスハンドオーバ要求であり、且つ前記サービスネットワークＭＳＣからのＣＳドメインサービスハンドオーバ要求が、前記サービスネットワーク基地局システムからのＣＳドメインサービスハンドオーバ要求によってトリガーされ、且つ前記ＵＥに対するＰＳドメインサービスハンドオーバ要求が、前記サービスネットワーク基地局システムからのＰＳドメインサービスハンドオーバ要求である
ことを特徴とする請求項３に記載の方法。
【請求項７】
前記ＨＯ−Ｐｒｏｘｙが前記ＵＥのＣＳドメインサービスをターゲットネットワークのＰＳドメインにハンドオーバするステップでは、
前記ＵＥがＰＳドメインサービスを有しない場合、前記ＨＯ−Ｐｒｏｘｙが前記ＵＥのためにベアラを確立するサービスネットワークＳＧＳＮ又はターゲットネットワーク制御エンティティにベアラ情報を問い合わせ、ＰＳドメインハンドオーバ操作を実行し、前記ＵＥによって確立されたベアラを利用して前記ＵＥのＣＳドメインにおける元のサービスを供給し、
又は、前記ＵＥがＰＳドメインサービスを有する場合、前記ＨＯ−ＰｒｏｘｙがＰＳドメインハンドオーバ操作を実行し、前記ＵＥによって確立されたベアラを利用して前記ＵＥのＣＳドメインにおける元のサービスを供給する
ことを特徴とする請求項１に記載の方法。
【請求項８】
サービスネットワーク基地局システムと、ターゲットネットワーク制御エンティティと、ターゲットネットワークのＰＳドメインへのハンドオーバのためのＨＯ−Ｐｒｏｘｙとを含む、回線交換ドメインサービスをパケット交換ドメインにハンドオーバするシステムであって、
前記サービスネットワーク基地局システムは、ＵＥのＣＳドメインサービスをターゲットネットワークのＰＳドメインにハンドオーバすることを決定する場合、前記ＵＥのＣＳドメインサービスハンドオーバ要求を生成して前記ＨＯ−Ｐｒｏｘｙに送信し、
前記ＨＯ−Ｐｒｏｘｙは、前記ＵＥのＣＳドメインサービスハンドオーバ要求を受信した後、前記ＵＥのＣＳドメインサービスをターゲットネットワークのＰＳドメインにハンドオーバするようにターゲットネットワーク制御エンティティに要求し、又は前記ＵＥのＣＳドメインサービスをターゲットネットワークのＰＳドメインにハンドオーバする
ことを特徴とするシステム。
【請求項９】
前記システムは、ＵＥをさらに含み、
前記ＵＥは、前記サービスネットワーク基地局システムが前記ＵＥのＣＳドメインサービスをターゲットネットワークのＰＳドメインにハンドオーバすることを決定する前に、ＩＭＳネットワークを介してサービスネットワーク又はターゲットネットワークにおいてベアラを確立し、若しくはＩＭＳセッションを開始し、若しくはサービスネットワーク又はターゲットネットワークにおいてベアラを直接に確立する
ことを特徴とする請求項８に記載のシステム。
【請求項１０】
前記ＵＥがさらにＰＳドメインサービスを有する場合、前記サービスネットワークはさらに、前記ＵＥのＰＳドメインサービスハンドオーバ要求を前記ＨＯ−Ｐｒｏｘｙに送信し、
前記ＨＯ−Ｐｒｏｘｙはさらに、前記ＵＥのＣＳドメインとＰＳドメインサービスをターゲットネットワークのＰＳドメインにハンドオーバするようにターゲットネットワーク制御エンティティに要求し、又は、前記ＨＯ−Ｐｒｏｘｙはさらに、前記ＵＥのＣＳドメインサービスとＰＳドメインサービスとターゲットネットワークのＰＳドメインをハンドオーバする
ことを特徴とする請求項８に記載のシステム。
【請求項１１】
前記サービスネットワーク基地局システムはさらに、前記ＣＳドメインサービスハンドオーバ要求において前記ＨＯ−Ｐｒｏｘｙに関連付け可能な情報を含め、前記ＣＳドメインサービスハンドオーバ要求を送信し、又は、前記ＣＳドメインサービスハンドオーバ要求を前記ＨＯ−Ｐｒｏｘｙに送信し、又は、前記ＣＳドメインサービスハンドオーバ要求をサービスネットワークＭＳＣに送信し、前記サービスネットワークＭＳＣがＣＳドメインサービスハンドオーバ要求を前記ＨＯ−Ｐｒｏｘｙに送信する
ことを特徴とする請求項８に記載のシステム。
【請求項１２】
前記ＵＥがＰＳドメインサービスを有しない場合、前記ＨＯ−Ｐｒｏｘｙはさらに、前記ＵＥのためにベアラを確立するサービスネットワークＳＧＳＮ又はターゲットネットワーク制御エンティティにベアラ情報を問い合わせ、ＰＳドメインハンドオーバ操作を実行し、前記ＵＥによって確立されたベアラを利用して前記ＵＥのＣＳドメインにおける元のサービスを供給し、又は、
前記ＵＥがＰＳドメインサービスを有する場合、前記ＨＯ−Ｐｒｏｘｙはさらに、ＰＳドメインハンドオーバ操作を実行し、前記ＵＥによって確立されたベアラを利用して前記ＵＥのＣＳドメインにおける元のサービスを供給する
ことを特徴とする請求項８に記載のシステム。
【請求項１３】
ハンドオーバプロキシ（ＨＯ−Ｐｒｏｘｙ）であって、
前記ＨＯ−Ｐｒｏｘｙは、サービスネットワーク基地局システムがＵＥのＣＳドメインサービスをターゲットネットワークのＰＳドメインにハンドオーバすることを決定した場合、前記ＵＥに対するＣＳドメインサービスハンドオーバ要求を受信するように設定され、
前記ＨＯ−Ｐｒｏｘｙは、前記ＵＥのＣＳドメインサービスをターゲットネットワークのＰＳドメインにハンドオーバするようにターゲットネットワーク制御エンティティに要求するように設定され、又は、前記ＵＥのＣＳドメインサービスをターゲットネットワークのＰＳドメインにハンドオーバするように設定される
ことを特徴とするＨＯ−Ｐｒｏｘｙ。
【請求項１４】
前記ＨＯ−Ｐｒｏｘｙは、さらに、
ＣＳドメインサービスハンドオーバ要求を受信するように設定され、当該ＣＳドメインサービスハンドオーバ要求が、前記サービスネットワーク基地局システムからの、前記ＨＯ−Ｐｒｏｘｙに関連付け可能な情報を含むＣＳドメインサービスハンドオーバ要求によってトリガーされ、又は、
前記サービスネットワーク基地局システムからのＣＳドメインサービスハンドオーバ要求を受信するように設定され、
前記サービスネットワークＭＳＣからのＣＳドメインサービスハンドオーバ要求を受信し、且つ前記サービスネットワークＭＳＣからのＣＳドメインサービスハンドオーバ要求が、前記サービスネットワーク基地局システムからのＣＳドメインサービスハンドオーバ要求によってトリガーされるように設定される
ことを特徴とする請求項１３に記載のＨＯ−Ｐｒｏｘｙ。
【請求項１５】
前記ＨＯ−Ｐｒｏｘｙは、さらに、
前記ＵＥがＰＳドメインサービスを有しない場合、前記ＨＯ−Ｐｒｏｘｙが、前記ＵＥのためにベアラを確立するサービスネットワークＳＧＳＮ又はターゲットネットワーク制御エンティティにベアラ情報を問い合わせ、ＰＳドメインハンドオーバ操作を実行し、前記ＵＥによって確立されたベアラを利用して前記ＵＥのＣＳドメインにおける元のサービスを供給し、又は、
前記ＵＥがＰＳドメインサービスを有する場合、前記ＨＯ−Ｐｒｏｘｙが、ＰＳドメインハンドオーバ操作を実行し、前記ＵＥによって確立されたベアラを利用して前記ＵＥのＣＳドメインにおける元のサービスを供給するように設定される
ことを特徴とする請求項１３に記載のＨＯ−Ｐｒｏｘｙ。
【発明の詳細な説明】
【技術分野】
【０００１】
本発明は、回線交換（ＣＳ：Ｃｉｒｃｕｉｔ  Ｓｗｉｔｃｈ）ドメインサービスを有するユーザ装置（ＵＥ：Ｕｓｅｒ  Ｅｑｕｉｐｍｅｎｔ）が非パケット交換（ＰＳ：Ｐａｃｋｅｔ  Ｓｗｉｔｃｈ）ネットワークからＰＳネットワークにハンドオーバする場合のハンドオーバ技術に関し、特に、ＩＰマルチメディアサブシステム（ＩＭＳ：ＩＰ  Ｍｕｌｔｉｍｅｄｉａ  Ｃｏｒｅ  Ｎｅｔｗｏｒｋ  Ｓｕｂｓｙｔｅｍ）においてユーザが回線交換ドメインからパケット交換ドメインにハンドオーバする方法及びシステムに関する。
【背景技術】
【０００２】
ＩＭＳは第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）により提案された、ＩＰに基づいたネットワークアーキテクチャであり、オープン的且つ柔軟なサービス環境を構築し、マルチメディアアプリケーションをサポートし、ユーザに豊かなマルチメディアサービスを提供することができる。
【０００３】
ＩＭＳサービスシステムにおいて、制御層とサービス層は分離されており、制御層は具体的なサービスを提供せず、サービス層に必要なトリガー、ルーティング、課金などの機能を提供するだけである。
【０００４】
制御層におけるサービストリガーと制御機能は、呼出セッション制御機能（ＣＳＣＦ：Ｃａｌｌ  Ｓｅｓｓｉｏｎ  Ｃｏｎｔｒｏｌ  Ｆｕｎｃｔｉｏｎ）によって実行される。ＣＳＣＦには主に、プロキシ呼出セッション制御機能（Ｐ−ＣＳＣＦ：Ｐｒｏｘｙ−ＣＳＣＦ）、問い合わせ呼出セッション制御機能（Ｉ−ＣＳＣＦ：Ｉｎｔｅｒｒｏｇａｔｉｎｇ−ＣＳＣＦ）、サービス呼出セッション制御機能（Ｓ−ＣＳＣＦ：Ｓｅｒｖｉｎｇ−ＣＳＣＦ）という３つのタイプが存在するこのうち、Ｓ−ＣＳＣＦは必須の機能であり、Ｉ−ＣＳＣＦは任意的な機能である。
【０００５】
サービス層は一連のアプリケーションサーバー（ＡＳ：Ａｐｐｌｉｃａｔｉｏｎ  Ｓｅｒｖｅｒ）からなり、具体的なサービスを提供できる。ＡＳは独立のエンティティであってよく、Ｓ−ＣＳＣＦ内に存在してもよい。
【０００６】
制御層（Ｓ−ＣＳＣＦ）はユーザの契約情報によってサービストリガーを制御し、ＡＳにおけるサービスをコールし、サービス機能を実現する。
【０００７】
セッションにおけるエンドツーエンドの機器はユーザ装置（ＵＥ：Ｕｓｅｒ  Ｅｑｕｉｐｍｅｎｔ）と称され、ＵＥは使用者とのインタラクティブを担当する。ＵＥは、３ＧＰＰのＰＳドメインを介してネットワークにアクセスし、又は、他の非３ＧＰＰのＰＳドメインを介してネットワークにアクセスし、又はＣＳドメインを介してネットワークにアクセスすることなどを含む様々なアクセスネットワーク方式を有する。
【０００８】
ＩＭＳユーザがＣＳドメインにアクセスしてコールを開始する場合、そのコールシグナリングはユーザが属するＩＭＳドメインにルーティングされる必要があり、それによってユーザにサービスが提供される。
【０００９】
ＵＥはある時刻に、ＣＳドメイン又はＰＳドメインのみを使用して音声サービスを提供できるが、ＣＳドメインとＰＳドメインを同時に使用して音声サービスを提供できない。ＵＥがＣＳドメインを使用して音声サービスを提供している時に、ＰＳドメインを使用して音声サービスを提供する必要がある場合、ＰＳドメインへのハンドオーバーが発生し、それをリバース単一無線音声通話継続性（ＲＳＲＶＣＣ：Ｒｅｖｅｒｓｅ  Ｓｉｎｇｌｅ  Ｒａｄｉｏ  Ｖｏｉｃｅ  Ｃａｌｌ  Ｃｏｎｔｉｎｕｉｔｙ）と称する。
【００１０】
ＵＥはＣＳドメインが音声サービスを提供する時に依然としてＰＳドメインを使用して他の非音声サービスを提供できるため、リバース単一無線音声通話継続性が発生する場合、ＰＳドメインの非音声サービスハンドオーバが同時に存在する可能がある。
【００１１】
ＵＥはソースネットワークにおいてＣＳドメインとＰＳドメインそれぞれによってサービスが提供され、ハンドオーバされた後のターゲットネットワークにおいてＰＳドメインのみによってサービスが提供されるので、ハンドオーバする際にＣＳハンドオーバとＰＳハンドオーバを同期する必要がある。即ち、ＣＳドメインからＰＳドメインへのハンドオーバ、及びＰＳドメインからＰＳドメインへのハンドオーバを同期する必要がある。
【発明の概要】
【発明が解決しようとする課題】
【００１２】
これに鑑みて、本発明の主な目的は、非ＰＳネットワークにおけるＵＥのＣＳドメインサービスを正確かつ効率的にＰＳネットワークにハンドオーバできるように、回線交換ドメインサービスをパケット交換ドメインにハンドオーバする方法及びシステムを提供することにある。
【課題を解決するための手段】
【００１３】
前記目的を実現するために、本発明の技術案は以下のように実現される。
【００１４】
ターゲットネットワークのパケット交換（ＰＳ）ドメインへのハンドオーバのハンドオーバプロキシ（ＨＯ−Ｐｒｏｘｙ）を設定する、回線交換ドメインサービスをパケット交換ドメインにハンドオーバする方法であって、
前記方法は、
サービスネットワーク基地局システムがユーザ装置（ＵＥ）の回線交換（ＣＳ）ドメインサービスをターゲットネットワークのＰＳドメインにハンドオーバすることを決定した場合、前記ＵＥのＣＳドメインサービスハンドオーバ要求を前記ＨＯ−Ｐｒｏｘｙに送信し、
前記ＨＯ−Ｐｒｏｘｙが、前記ＵＥのＣＳドメインサービスをターゲットネットワークのＰＳドメインにハンドオーバするようにターゲットネットワーク制御エンティティに要求し、又は、前記ＨＯ−Ｐｒｏｘｙが、前記ＵＥのＣＳドメインサービスをターゲットネットワークのＰＳドメインにハンドオーバすることを含む。
【００１５】
好ましくは、前記サービスネットワーク基地局システムが前記ＵＥのＣＳドメインサービスをターゲットネットワークのＰＳドメインにハンドオーバすることを決定する前に、
前記ＵＥが、ＩＰマルチメディアサブシステム（ＩＭＳ）ネットワークを介してサービスネットワーク又はターゲットネットワークにおいてベアラを確立し、若しくはＩＭＳセッションを開始し、若しくはサービスネットワークやターゲットネットワークにおいてベアラを直接に確立するステップをさらに含む。
【００１６】
好ましくは、前記ＨＯ−Ｐｒｏｘｙが、前記ＵＥのＣＳドメインサービスをターゲットネットワークのＰＳドメインにハンドオーバするようにターゲットネットワーク制御エンティティに要求し、又は、前記ＨＯ−Ｐｒｏｘｙが、前記ＵＥのＣＳドメインサービスをターゲットネットワークのＰＳドメインにハンドオーバする前に、
前記ＨＯ−Ｐｒｏｘｙが、前記ＵＥのＰＳドメインサービスハンドオーバ要求と前記ＵＥのＣＳドメインサービスハンドオーバ要求とを関連付けるステップをさらに含む。
【００１７】
好ましくは、前記ＵＥのＣＳドメインサービスハンドオーバ要求には、前記ＵＥがＰＳドメインサービスを有するかどうかを示す識別情報が含まれる。
【００１８】
好ましくは、前記方法は、
前記ＵＥがＰＳドメインサービスをさらに有する場合、前記サービスネットワーク基地局システムが前記ＵＥのＰＳドメインサービスハンドオーバ要求を前記ＨＯ−Ｐｒｏｘｙに送信するステップと、
前記ＨＯ−Ｐｒｏｘｙが、前記ＵＥの前記ＣＳドメインと前記ＰＳドメインサービスとをターゲットネットワークのＰＳドメインにハンドオーバするようにターゲットネットワーク制御エンティティに要求し、又は、前記ＨＯ−Ｐｒｏｘｙが、前記ＵＥの前記ＣＳドメインサービスと前記ＰＳドメインサービスとをターゲットネットワークのＰＳドメインにハンドオーバするステップとをさらに含む。
【００１９】
好ましくは、
前記サービスネットワーク基地局システムによって送信された前記ＵＥのＰＳドメインサービスハンドオーバ要求には、前記ＵＥがＣＳドメインサービスを有することを示す識別情報が含まれる。
【００２０】
好ましくは、前記ＨＯ−Ｐｒｏｘｙが前記ＵＥのＰＳドメインサービスハンドオーバ要求と前記ＵＥのＣＳドメインサービスハンドオーバ要求とを関連付けるステップでは、
前記ＨＯ−Ｐｒｏｘｙが、前記ＵＥのＰＳドメインサービスハンドオーバ要求を先に受信した場合に、前記ＵＥがＣＳドメインサービスをさらに有することを確定する。
【００２１】
好ましくは、前記ＨＯ−Ｐｒｏｘｙが前記ＵＥのＰＳドメインサービスハンドオーバ要求と前記ＵＥのＣＳドメインサービスハンドオーバ要求とを関連付けるステップでは、
前記ＨＯ−Ｐｒｏｘｙが、前記ＵＥのＰＳドメインサービスハンドオーバ要求を先に受信した場合に、前記ＰＳドメインサービスハンドオーバ要求におけるＣＳドメインサービスの識別情報に応じて、前記ＵＥがＣＳドメインサービスをさらに有することを確定し、又は、前記ＵＥのＣＳドメインサービスハンドオーバ要求を先に受信した場合、前記ＣＳドメインサービスハンドオーバ要求においてＰＳドメインサービスを有するかどうかを示す識別情報に応じて、前記ＵＥがＰＳドメインサービスをさらに有するかどうかを確定する。
【００２２】
好ましくは、前記ＨＯ−Ｐｒｏｘｙが前記ＵＥのＰＳドメインサービスハンドオーバ要求と前記ＵＥのＣＳドメインサービスハンドオーバ要求とを関連付けるステップでは、
前記ＨＯ−Ｐｒｏｘｙが、前記ＵＥのＣＳドメインサービスハンドオーバ要求を先に受信した場合に、前記ＣＳドメインサービスハンドオーバ要求においてＰＳドメインサービスを有するかどうかを示す識別情報に応じて、前記ＵＥがＰＳドメインサービスをさらに有するかどうかを確定する。
【００２３】
好ましくは、前記サービスネットワーク基地局システムが前記ＵＥのＣＳドメインサービスハンドオーバ要求を前記ＨＯ−Ｐｒｏｘｙに送信するステップでは、
前記サービスネットワーク基地局システムが、前記ＣＳドメインサービスハンドオーバ要求において前記ＨＯ−Ｐｒｏｘｙに関連付け可能な情報を含め、前記ＣＳドメインサービスハンドオーバ要求を送信し、又は、前記サービスネットワーク基地局システムが、前記ＣＳドメインサービスハンドオーバ要求を前記ＨＯ−Ｐｒｏｘｙに送信し、又は、前記サービスネットワーク基地局システムが、前記ＣＳドメインサービスハンドオーバ要求をサービスネットワークＭＳＣに送信し、前記サービスネットワークＭＳＣが、ＣＳドメインサービスハンドオーバ要求を前記ＨＯ−Ｐｒｏｘｙに送信する。
【００２４】
好ましくは、前記サービスネットワーク基地局システムが前記ＵＥのＣＳドメインサービスハンドオーバ要求とＰＳドメインサービスハンドオーバ要求とを前記ＨＯ−Ｐｒｏｘｙに送信するステップでは、
前記サービスネットワーク基地局システムが、前記ＣＳドメインサービスハンドオーバ要求と前記ＰＳドメインサービスハンドオーバ要求において前記ＨＯ−Ｐｒｏｘｙに関連付け可能な情報を含め、前記ＣＳドメインサービスハンドオーバ要求及び／又は前記ＰＳドメインサービスハンドオーバ要求を送信し、又は、前記サービスネットワーク基地局システムが前記ＣＳドメインサービスハンドオーバ要求を前記ＨＯ−Ｐｒｏｘｙに送信し、且つ、前記サービスネットワーク基地局システムが前記ＰＳドメインサービスハンドオーバ要求をサービスネットワークＳＧＳＮに送信し、前記サービスネットワークＳＧＳＮがＰＳドメインサービスハンドオーバ要求を前記ＨＯ−Ｐｒｏｘｙに送信し、又は、前記サービスネットワーク基地局システムが前記ＣＳドメインサービスハンドオーバ要求をサービスネットワークＭＳＣに送信し、前記サービスネットワークＭＳＣがＣＳドメインサービスハンドオーバ要求を前記ＨＯ−Ｐｒｏｘｙに送信し、且つ、前記サービスネットワーク基地局システムが前記ＰＳドメインサービスハンドオーバ要求送信を前記ＨＯ−Ｐｒｏｘｙに送信する。
【００２５】
好ましくは、前記ＨＯ−Ｐｒｏｘｙが前記ＵＥのＣＳドメインサービスをターゲットネットワークのＰＳドメインにハンドオーバするステップでは、
前記ＵＥがＰＳドメインサービスを有しない場合、前記ＨＯ−Ｐｒｏｘｙが前記ＵＥのためにベアラを確立するサービスネットワークＳＧＳＮ又はターゲットネットワーク制御エンティティにベアラ情報を問い合わせ、ＰＳドメインハンドオーバ操作を実行し、前記ＵＥによって確立されたベアラを利用して前記ＵＥのＣＳドメインにおける元のサービスを供給し、又は、
前記ＵＥがＰＳドメインサービスを有する場合、前記ＨＯ−ＰｒｏｘｙがＰＳドメインハンドオーバ操作を実行し、前記ＵＥによって確立されたベアラを利用して前記ＵＥのＣＳドメインにおける元のサービスを供給する。
【００２６】
好ましくは、前記ターゲットネットワーク制御エンティティはＭＭＥ又はＳＧＳＮであり、前記ＨＯ−ＰｒｏｘｙはＭＳＣ、ＳＧＳＮ又はターゲットネットワーク制御エンティティである。
【００２７】
サービスネットワーク基地局システムと、ターゲットネットワーク制御エンティティと、ターゲットネットワークのＰＳドメインへのハンドオーバのＨＯ−Ｐｒｏｘｙとを含む、回線交換ドメインサービスをパケット交換ドメインにハンドオーバするシステムであって、
前記サービスネットワーク基地局システムは、ＵＥのＣＳドメインサービスをターゲットネットワークのＰＳドメインにハンドオーバすることを決定する場合、前記ＵＥのＣＳドメインサービスハンドオーバ要求を生成して前記ＨＯ−Ｐｒｏｘｙに送信し、
前記ＨＯ−Ｐｒｏｘｙは、前記ＵＥのＣＳドメインサービスハンドオーバ要求を受信した後、前記ＵＥのＣＳドメインサービスをターゲットネットワークのＰＳドメインにハンドオーバするようにターゲットネットワーク制御エンティティに要求し、又は、前記ＵＥのＣＳドメインサービスをターゲットネットワークのＰＳドメインにハンドオーバする。
【００２８】
好ましくは、前記システムは、ＵＥをさらに含み、前記ＵＥは、前記サービスネットワーク基地局システムが前記ＵＥのＣＳドメインサービスをターゲットネットワークのＰＳドメインにハンドオーバすることを決定する前に、ＩＭＳネットワークを介してサービスネットワーク又はターゲットネットワークにおいてベアラを確立し、若しくはＩＭＳセッションを開始し、若しくはサービスネットワーク又はターゲットネットワークにおいてベアラを直接に確立する。
【００２９】
好ましくは、前記ＨＯ−Ｐｒｏｘｙが、前記ＵＥのＣＳドメインサービスをターゲットネットワークのＰＳドメインにハンドオーバするようにターゲットネットワーク制御エンティティに要求し、又は、前記ＨＯ−Ｐｒｏｘｙが前記ＵＥのＣＳドメインサービスをターゲットネットワークのＰＳドメインにハンドオーバする前に、前記ＨＯ−Ｐｒｏｘｙは、前記ＵＥのＰＳドメインサービスハンドオーバ要求と前記ＵＥのＣＳドメインサービスハンドオーバ要求とを関連付ける。
【００３０】
好ましくは、前記サービスネットワーク基地局システムはさらに、前記ＵＥのＣＳドメインサービスハンドオーバ要求に、前記ＵＥがＰＳドメインサービスを有するかどうかを示す識別情報を含める。
【００３１】
好ましくは、前記ＵＥがさらにＰＳドメインサービスを有する場合、前記サービスネットワークはさらに、前記ＵＥのＰＳドメインサービスハンドオーバ要求を前記ＨＯ−Ｐｒｏｘｙに送信し、
前記ＨＯ−Ｐｒｏｘｙはさらに、前記ＵＥのＣＳドメインとＰＳドメインサービスをターゲットネットワークのＰＳドメインにハンドオーバするとターゲットネットワーク制御エンティティに要求し、又は、前記ＨＯ−Ｐｒｏｘｙは、さらに、前記ＵＥのＣＳドメインサービスとＰＳドメインサービスとターゲットネットワークのＰＳドメインをハンドオーバする。
【００３２】
好ましくは、前記サービスネットワーク基地局システムから送信された、前記ＵＥのＰＳドメインサービスハンドオーバ要求には、前記ＵＥがＣＳドメインサービスを有することを示す識別情報が含まれる。
【００３３】
好ましくは、前記ＨＯ−Ｐｒｏｘｙはさらに、前記ＵＥのＰＳドメインサービスハンドオーバ要求を受信した場合、前記ＵＥがＣＳドメインサービスをさらに有することを確定する。
【００３４】
好ましくは、前記ＨＯ−Ｐｒｏｘｙはさらに、前記ＵＥのＰＳドメインサービスハンドオーバ要求を受信した場合、前記ＰＳドメインサービスハンドオーバ要求におけるＣＳドメインサービスの識別情報に応じて、前記ＵＥがＣＳドメインサービスをさらに有することを確定する。
【００３５】
好ましくは、前記ＨＯ−Ｐｒｏｘｙは、前記ＵＥのＣＳドメインサービスハンドオーバ要求を受信した場合、前記ＣＳドメインサービスハンドオーバ要求における、ＰＳドメインサービスを有するかどうかを示す識別情報に応じて、前記ＵＥがＰＳドメインサービスを有するかどうかを確定する。
【００３６】
好ましくは、前記サービスネットワーク基地局システムはさらに、前記ＣＳドメインサービスハンドオーバ要求において前記ＨＯ−Ｐｒｏｘｙに関連付け可能な情報を含め、前記ＣＳドメインサービスハンドオーバ要求を送信し、又は、前記ＣＳドメインサービスハンドオーバ要求を前記ＨＯ−Ｐｒｏｘｙに送信し、又は、前記ＣＳドメインサービスハンドオーバ要求をサービスネットワークＭＳＣに送信し、前記サービスネットワークＭＳＣがＣＳドメインサービスハンドオーバ要求を前記ＨＯ−Ｐｒｏｘｙに送信する。
【００３７】
好ましくは、前記サービスネットワーク基地局システムはさらに、前記ＣＳドメインサービスハンドオーバ要求と前記ＰＳドメインサービスハンドオーバ要求において前記ＨＯ−Ｐｒｏｘｙに関連付け可能な情報を含み、そして前記ＣＳドメインサービスハンドオーバ要求及び／又は前記ＰＳドメインサービスハンドオーバ要求を送信し、又は、前記ＣＳドメインサービスハンドオーバ要求を前記ＨＯ−Ｐｒｏｘｙに送信し、且つ、前記サービスネットワーク基地局システムが前記ＰＳドメインサービスハンドオーバ要求をサービスネットワークＳＧＳＮに送信し、前記サービスネットワークＳＧＳＮがＰＳドメインサービスハンドオーバ要求を前記ＨＯ−Ｐｒｏｘｙに送信し、又は、前記ＣＳドメインサービスハンドオーバ要求をサービスネットワークＭＳＣに送信し、前記サービスネットワークＭＳＣがＣＳドメインサービスハンドオーバ要求を前記ＨＯ−Ｐｒｏｘｙに送信し、且つ、前記サービスネットワーク基地局システムが前記ＰＳドメインサービスハンドオーバ要求を前記ＨＯ−Ｐｒｏｘｙに送信する。
【００３８】
好ましくは、前記ＵＥがＰＳドメインサービスを有しない場合、前記ＨＯ−Ｐｒｏｘｙは、さらに、前記ＵＥのためにベアラを確立するサービスネットワークＳＧＳＮ又はターゲットネットワーク制御エンティティにベアラ情報を問い合わせ、ＰＳドメインハンドオーバ操作を実行し、前記ＵＥによって確立されたベアラを利用して前記ＵＥのＣＳドメインにおける元のサービスを供給し、
又は、前記ＵＥがＰＳドメインサービスを有する場合、前記ＨＯ−Ｐｒｏｘｙは、さらに、ＰＳドメインハンドオーバ操作を実行し、前記ＵＥによって確立されたベアラを利用して前記ＵＥのＣＳドメインにおける元のサービスを供給する。
【００３９】
本発明において、サービスネットワークがＣＳドメインサービスを有するＵＥをＰＳネットワークにハンドオーバすることが必要だと確定した場合、サービスネットワークが、ＣＳドメインサービスハンドオーバ要求をＨＯ−Ｐｒｏｘｙに転送し、又は、ＰＳドメインサービスハンドオーバ要求をＨＯ−Ｐｒｏｘｙに転送し、ＨＯ−Ｐｒｏｘｙ要求ターゲットネットワーク制御エンティティにより、ＣＳドメインサービスをＰＳネットワークにハンドオーバし、又は、ＨＯ−ＰｒｏｘｙはＣＳドメインサービスをＰＳネットワークにハンドオーバする。
【００４０】
すなわち、本発明はＨＯ−Ｐｒｏｘｙによって、ＣＳドメインサービスからＰＳネットワークへのハンドオーバを処理する。ＨＯ−ＰｒｏｘｙはＭＳＣ又はＳＧＳＮ又はターゲットネットワーク制御エンティティに位置してもよい。ＨＯ−Ｐｒｏｘｙは、ＣＳドメインサービスからＰＳネットワークへのハンドオーバに用いられる場合、ＵＥの対応するサービス（ＣＳドメインサービス及び／又はＰＳドメインサービス）にＰＳのベアラリソースを正確に確保しておくことができ、正確かつタイムリーなハンドオーバを実現できる。
【図面の簡単な説明】
【００４１】
【図１】本発明の実施形態１に係る、回線交換ドメインサービスをパケット交換ドメインにハンドオーバする方法のフローチャートである。
【図２】本発明の実施形態２に係る、回線交換ドメインサービスをパケット交換ドメインにハンドオーバする方法のフローチャートである。
【発明を実施するための形態】
【００４２】
本発明の基本着想としては、サービスネットワークが、ＣＳドメインサービスを有するＵＥをＰＳネットワークにハンドオーバする必要があることを確定した場合、サービスネットワークが、ＣＳドメインサービスハンドオーバ要求及び／又はＰＳドメインサービスハンドオーバ要求をＨＯ−Ｐｒｏｘｙに転送し、ＨＯ−ＰｒｏｘｙがＣＳドメインサービスからＰＳネットワークへのハンドオーバを実行する。
【００４３】
本発明の目的、技術案及びメリットを明確にするために、以下、実施形態を挙げて図面を参照しながら本発明を詳しく説明する。
【００４４】
（実施形態１）
図１は本発明に係る回線交換ドメインサービスをパケット交換ドメインにハンドオーバする方法の実施形態１のフローチャートである。図１に示すように、本実施形態の応用シナリオでは、ＵＥ−１がＣＳドメインを介してＵＥ−２とコールを確立する。
【００４５】
ＵＥ−１には他の非音声のＰＳドメインサービスがある可能性があり、ＵＥ−１がターゲットネットワーク（ＰＳネットワーク）に移動した場合、すべてのサービスをターゲットネットワークのＰＳドメインにハンドオーバして提供する必要がある。本実施形態の回線交換ドメインサービスがパケット交換ドメインにハンドオーバする方法は具体的に以下のステップを含む。
【００４６】
ステップ１００は必要に応じて選択可能とされるものであり、ＵＥ−１が、ＰＳベアラを確立することをサービスネットワークに要求するステップである。例えば、ＵＥ−１はＢｅａｒｅｒ  Ｒｅｓｏｕｒｃｅｓ  Ｃｏｍｍａｎｄメッセージを送信することにより、又は、ＩＭＳネットワークとサービスネットワークとのインタラクティブによりベアラの確立を実現する。例えば、ＵＥ−１はＩＭＳセッションを開始し、又はＩＭＳ登録過程中にベアラ確立をする必要があることをＰ−ＣＳＣＦに通知し、且つＰ−ＣＳＣＦとサービスネットワークとのインタラクティブによりベアラの確立を実現する。
【００４７】
当該ステップはハンドオーバの前にいつでも行ってもよい。ＵＥ−１が先にターゲットネットワークにアクセスした場合、ターゲットネットワークでベアラを確立することができる。この時、ターゲットネットワーク基地局システムとターゲットネットワーク制御エンティティによりベアラの確立が実現される。この場合、ＵＥ−１はサービスネットワークが移動してからＣＳサービスを確立し、そして、後続のステップを実行する。
【００４８】
ステップ１０１では、ＵＥ−１は、そのサービスしているネットワークに測定レポートを送信して、セルの信号強度の測定情報を報告する。
【００４９】
ステップ１０２では、ＵＥ−１にサービスするネットワークの基地局サブシステムは、ＵＥ−１の測定レポートにおける各セル信号強度の測定情報に応じて、ターゲットセルの属するターゲットネットワークＰＳドメインがＵＥ−１のために適切にサービスすると判定して、ハンドオーバ操作を行うことを決定する。
【００５０】
サービスネットワークの基地局サブシステムはハンドオーバ要求をＭＳＣに送信し、例えばハンドオーバ要求（Ｈａｎｄｏｖｅｒ  ｒｅｑｕｉｒｅｄ）メッセージを送信する。ハンドオーバ要求メッセージのターゲット識別子（ｔａｒｇｅｔ  ＩＤ）には、前記サービスネットワークの各ネットワーク要素（例えばＭＳＣ）により前記ハンドオーバ要求を前記ＨＯ−Ｐｒｏｘｙにルーティングするターゲット識別子を設定してもよい。
【００５１】
ＵＥ−１がＰＳサービスをさらに有する場合、ハンドオーバ要求メッセージに「ＰＳサービスがある」を示す情報が含まれ、この情報は例えば、ｔａｒｇｅｔ  ＩＤに含まれる。ハンドオーバプロキシはサービスネットワークのＭＳＣ、ＳＧＳＮ、又はターゲットネットワーク制御エンティティに含まれてもよい。
【００５２】
ステップ１０３では、ＭＳＣがＨＯ−Ｐｒｏｘｙにハンドオーバ要求メッセージを送信する。ＨＯ−Ｐｒｏｘｙが他のＭＳＣに位置する場合、例えば、Ｐｒｅｐ＿ＨＯ  Ｒｅｑｕｅｓｔメッセージを送信する。ハンドオーバ要求メッセージのｔａｒｇｅｔ  ＩＤは、受信されたハンドオーバ要求メッセージ（Ｈａｎｄｏｖｅｒ  ｒｅｑｕｉｒｅｄ）のｔａｒｇｅｔ  ＩＤ（即ち、ＨＯ−Ｐｒｏｘｙに指す）である。
【００５３】
ハンドオーバ要求メッセージには、「ＰＳサービスがある」ことを示す情報が含まれ、例えば、ｔａｒｇｅｔ  ＩＤに含まれる。ＨＯ−ＰｒｏｘｙがＳＧＳＮ又はターゲットネットワークの制御ネットワーク要素に位置する場合、例えばＣＳ  ｔｏ  ＰＳ  ＨＯ  Ｒｅｑｕｅｓｔメッセージを送信する。ＨＯ−ＰｒｏｘｙがＭＭＥに位置する場合、ｔａｒｇｅｔ  ＩＤはＨＯ−Ｐｒｏｘｙにも送信される（当該ｔａｒｇｅｔ  ＩＤが必ずしも受信されたハンドオーバ要求メッセージ（Ｈａｎｄｏｖｅｒ  ｒｅｑｕｉｒｅｄ）のｔａｒｇｅｔ  ＩＤでなく、受信されたハンドオーバ要求メッセージに含まれるｔａｒｇｅｔ  ＩＤ又は他のフィールド情報より得られてもよい）。
【００５４】
ＨＯ−Ｐｒｏｘｙ  がＳＧＳＮに位置する場合、ＭＳＣは例えば、構成又は接続関係に応じてＨＯ−Ｐｒｏｘｙを確定できる。ＨＯ−ＰｒｏｘｙがＭＭＥに位置する場合、ハンドオーバ要求メッセージには「ＰＳサービスを有する」ことを示す情報が含まれ、この情報は例えば、ｔａｒｇｅｔ  ＩＤに含まれる。
【００５５】
もちろん、ＨＯ−Ｐｒｏｘｙが当該ＭＳＣに含まれる場合、当該ＭＳＣに送信されるＨａｎｄｏｖｅｒ  ｒｅｑｕｉｒｅｄメッセージは同時にＨＯ−Ｐｒｏｘｙに送信され、ステップ１０３は存在しない。
【００５６】
ステップ１０４では、ＨＯ−ＰｒｏｘｙがＣＳドメインからのハンドオーバ要求メッセージ（ＭＳＣから、又はＨＯ−ＰｒｏｘｙがＭＳＣに含まれる場合に基地局サブシステムから）を受信する。ハンドオーバ要求メッセージに、「ＰＳサービスを有する」ことを示する情報が含まれる場合、ＨＯ−ＰｒｏｘｙはＰＳドメインからのハンドオーバ要求メッセージを待つ。
【００５７】
ＨＯ−ＰｒｏｘｙがＳＧＳＮに位置する場合、ＨＯ−Ｐｒｏｘｙは、指示情報によって判断する必要がなく、ユーザがＰＳサービスを有するかを判断できる。
【００５８】
ステップ１０５では、ＵＥ−１がＰＳドメインのデータサービスをさらに有する場合、サービスネットワークの基地局サブシステムはサービスネットワークデータドメイン制御エンティティ（即ちＳＧＳＮ）にハンドオーバ要求メッセージをさらに送信する。ハンドオーバー要求メッセージは例えば、Ｒｅｌｏｃａｔｉｏｎ  Ｒｅｑｕｉｒｅｄメッセージである。
【００５９】
ハンドオーバ要求メッセージのターゲット識別子（ｔａｒｇｅｔ  ＩＤ）は前記サービスネットワークの各ネットワーク要素（例えば、ＳＧＳＮ）により前記ハンドオーバ要求が前記ＨＯ−Ｐｒｏｘｙにルーティングされるターゲット識別子として設定されてもよい。ハンドオーバ要求メッセージには「ＣＳサービスを有する」ことを示す情報が含まれ、例えば、ｔａｒｇｅｔ  ＩＤに含まれる。
【００６０】
ｔａｒｇｅｔ  ＩＤの一部の情報は現在のハンドオーバがＰＳ及びＣＳからＰＳ（即ち、「ＣＳサービスがある」と示す）へのハンドオーバであると表すことに用いられ、例えば、ｔａｒｇｅｔ  ＩＤにおけるロケーションエリア識別情報（ＬＡＩ：Ｌｏｃａｔｉｏｎ  Ａｒｅａ  Ｉｄｅｎｔｉｔｙ）又はルーティングエリア識別情報（ＲＡＩ：Ｒｏｕｔｉｎｇ  Ａｒｅａ  Ｉｄｅｎｔｉｔｙ）によって示される。、例えば、特定のＬＡＩ又はＲＡＩは、現在のハンドオーバがＰＳ及びＣＳからＰＳへのハンドオーバであることを識別することに用いられる。もちろん、対応する要求メッセージに専用のハンドオーバ指示識別子が設けられることにより示されてもよい。
【００６１】
ＨＯ−Ｐｒｏｘｙは先にＰＳドメインからのハンドオーバ要求を受信した後、ＨＯ−ＰｒｏｘｙがＭＳＣに位置すると、正常なＰＳドメインからＰＳドメインへのハンドオーバ要求がＨＯ−Ｐｒｏｘｙに到達しないので、ＨＯ−Ｐｒｏｘｙがこの判断結果によりＣＳドメインからのハンドオーバ要求をさらに待つ必要がある。
【００６２】
又は、ＨＯ−Ｐｒｏｘｙは、受信したＰＳドメインからのハンドオーバ要求に「ＣＳサービスがある」ことを示す情報が含まれると判断した場合、ＣＳドメインからのハンドオーバ要求を待つ。又は、ＨＯ−Ｐｒｏｘｙは先にＣＳドメインからのハンドオーバ要求を受信した場合、ＣＳドメインハンドオーバ要求に含まれる「ＰＳサービスがある」ことを示す情報などに応じてＰＳドメインからのハンドオーバ要求を待つ。これにより、ＨＯ−Ｐｒｏｘｙは、ＰＳドメインとＣＳドメインとのハンドオーバ要求を関連付けることを実現する。
【００６３】
もちろん、本発明は、ＰＳドメインサービスのハンドオーバ要求及びＣＳドメインサービスのハンドオーバ要求に、それぞれＣＳドメインサービス及びＰＳドメインサービスを同時にハンドオーバする識別情報を設定することができる。
【００６４】
このように、ＰＳドメインサービスのハンドオーバ要求が先にＨＯ−Ｐｒｏｘｙにより受信され、又はＣＳドメインサービスのハンドオーバ要求が先にＨＯ−Ｐｒｏｘｙにより受信されるか否かに関らず、ＨＯ−Ｐｒｏｘｙは、受信したハンドオーバ要求にＰＳの識別子及びＣＳからＰＳにハンドオーバされる識別子が含まれるかどうかによって、ＵＥのＣＳドメインサービス及びＰＳドメインサービスをターゲットネットワークのＰＳドメインに同時にハンドオーバするかどうかを確定できる。
【００６５】
換言すれば、ＨＯ−Ｐｒｏｘｙは、受信したハンドオーバ要求にＣＳドメインサービス及びＰＳドメインサービスを同時にハンドオーバする識別情報が含まれると判定した場合、受信したＵＥのＣＳドメインサービスのハンドオーバ要求及びＰＳドメインサービスのハンドオーバ要求を確認した後、ターゲットネットワークの対応するネットワーク要素にハンドオーバ要求を送信し、もしくは別のハンドオーバ要求を待つ。
【００６６】
ステップ１０６では、ＳＧＳＮがＨＯ−Ｐｒｏｘｙにハンドオーバ要求メッセージを送信し、ＨＯ−Ｐｒｏｘｙが、ターゲットネットワーク制御ネットワーク要素に位置する場合、又はステップ１０２におけるＭＳＣと異なる別のＭＳＣに位置する場合、例えば、Ｆｏｒｗａｒｄ  Ｒｅｌｏｃａｔｉｏｎ  Ｒｅｑｕｅｓｔメッセージを送信する。
【００６７】
ハンドオーバ要求メッセージのｔａｒｇｅｔ  ＩＤは受信したハンドオーバ要求メッセージのｔａｒｇｅｔ  ＩＤ（即ちＨＯ−Ｐｒｏｘｙに送信される）である。ＨＯ−Ｐｒｏｘｙがステップ１０３におけるＭＳＣに位置する場合、ＳＧＳＮは例えば構成又は接続関係に応じてＨＯ−Ｐｒｏｘｙを確定することができる。
【００６８】
もちろん、ＨＯ−Ｐｒｏｘｙが当該ＳＧＳＮに含まれると、当該ＳＧＳＮに送信されたＲｅｌｏｃａｔｉｏｎ  ＲｅｑｕｉｒｅｄメッセージはＨＯ−Ｐｒｏｘｙに同時に送信される。この場合ステップ１０６は存在しない。
【００６９】
ステップ１０７では、ＨＯ−ＰｒｏｘｙがＣＳドメインとＰＳドメインからのハンドオーバ要求メッセージにおける情報を関連付け、即ち、ステップ１０５に記載の方法でＣＳドメインとＰＳドメインからのハンドオーバ要求を関連付ける。
【００７０】
２つのドメインからのハンドオーバ要求メッセージが存在する場合、その中の関連情報によってターゲットネットワークが識別可能な対応情報を生成し、一つに結合してステップ１０９のハンドオーバ要求メッセージのパラメータとする。
【００７１】
ステップ１０８は、ステップ１００が実行されなかった場合、任意的なステップである。選択的に、ＨＯ−Ｐｒｏｘｙがデータネットワークゲートウェイ（即ち、ＳＧＷ（Ｓｅｒｖｉｎｇ  Ｇａｔｅｗａｙ）とＰＧＷ（ＰＤＮ  Ｇａｔｅｗａｙ））に音声ベアラの確立を申し出、例えば、Ｂｅａｒｅｒ  Ｒｅｓｏｕｒｃｅ  Ｃｏｍｍａｎｄを送信する。
【００７２】
ステップ１００が実行された場合でも、本ステップは任意的なステップであり、ＨＯ−Ｐｒｏｘｙが、ＵＥ−１のためにベアラを確立するサービスネットワークＳＧＳＮ又はターゲットネットワーク制御エンティティにベアラ情報を問い合わせ、例えば、ＰＤＰ  Ｃｏｎｔｅｘｔ  Ｒｅｑｕｅｓｔメッセージを送信してベアラ情報を取得する。
【００７３】
ステップ１０９は、ステップ１０８が実行された場合、その後に実行され、ステップ１０８が実行されなかった場合、ステップ１０７の後に実行される。
【００７４】
ＨＯ−Ｐｒｏｘｙがターゲットネットワークの制御エンティティに位置しないと、ＨＯ−Ｐｒｏｘｙがターゲットネットワークの制御エンティティ、即ちロング・ターム・エボリューション（ＬＴＥ：Ｌｏｎｇ  Ｔｅｒｍ  Ｅｖｏｌｕｔｉｏｎ）ネットワークの移動管理エンティティ（ＭＭＥ：Ｍｏｂｉｌｅ  Ｍａｎａｇｅｍｅｎｔ  Ｅｎｔｉｔｙ）又は高速パケットアクセス（ＨＳＰＡ：Ｈｉｇｈ  Ｓｐｅｅｄ  Ｐａｃｋｅｔ  Ａｃｃｅｓｓ）ネットワークのＳＧＳＮにハンドオーバ要求を送信する。
【００７５】
例えば、ＨＯ−ＰｒｏｘｙはＣＳ  ｔｏ  ＰＳ  Ｈａｎｄｏｖｅｒ  Ｒｅｑｕｅｓｔメッセージを送信する。ＨＯ−Ｐｒｏｘｙがターゲットネットワークの制御エンティティに位置すると、ステップ１０９は実行されない。ＨＯ−Ｐｒｏｘｙがベアラ情報を取得すると、ハンドオーバ要求には、取得されたベアラ情報が含まれる。
【００７６】
ステップ１１０では、ＨＯ−Ｐｒｏｘｙがステップ１００とステップ１０８を実行しなかった場合、ターゲットネットワーク制御エンティティ又はＨＯ−Ｐｒｏｘｙ（ＨＯ−Ｐｒｏｘｙがターゲットネットワーク制御エンティティに位置する場合）は音声ベアラの確立を要求し、例えばＢｅａｒｅｒ  Ｒｅｓｏｕｒｃｅ  Ｃｏｍｍａｎｄを送信する。
【００７７】
ＨＯ−Ｐｒｏｘｙがステップ１００を実行した場合、ターゲットネットワーク制御エンティティ又はＨＯ−Ｐｒｏｘｙ（ＨＯ−Ｐｒｏｘｙがターゲットネットワーク制御エンティティに位置する場合）は、ＵＥ−１のためにベアラを確立するサービスネットワークＳＧＳＮ又はターゲットネットワーク制御エンティティにベアラ情報を問い合わせ、例えば、ＰＤＰ  Ｃｏｎｔｅｘｔ  Ｒｅｑｕｅｓｔメッセージを送信してベアラ情報を取得する。
【００７８】
ステップ１１１では、ターゲットネットワーク制御エンティティはターゲットネットワーク基地局サブシステムにハンドオーバ要求を送信し、例えば、Ｈａｎｄｏｖｅｒ  Ｒｅｑｕｅｓｔメッセージを送信する。
【００７９】
ステップ１１２では、ターゲットネットワーク基地局サブシステムがハンドオーバ応答メッセージを返答し、例えば、Ｈａｎｄｏｖｅｒ  Ｒｅｑｕｅｓｔ  Ａｃｋｎｏｗｌｅｄｇｅメッセージを送信する。
【００８０】
ステップ１１３では、ターゲットネットワーク制御エンティティがハンドオーバ応答メッセージを受信した後、ＨＯ−Ｐｒｏｘｙにハンドオーバ応答メッセージを送信し、例えばＣＳ  ｔｏ  ＰＳ  Ｈａｎｄｏｖｅｒ  Ｒｅｓｐｏｎｓｅメッセージを送信する。
【００８１】
ステップ１１４では、ＨＯ−ＰｒｏｘｙがサービスネットワークのＭＳＣにハンドオーバ応答メッセージを送信し、例えばＰｒｅｐ＿ＨＯ  Ｒｅｓｐｏｎｓｅメッセージを送信する。
【００８２】
ステップ１１５では、サービスネットワークのＭＳＣがサービスネットワーク基地局サブシステムにハンドオーバコマンドを送信し、例えばＨａｎｄｏｖｅｒ  Ｃｏｍｍａｎｄ（ハンドオーバコマンド）メッセージを送信する。
【００８３】
ステップ１１６では、ＵＥ−１がデータサービスをさらに有する場合、ＨＯ−Ｐｒｏｘｙが更にサービスネットワークＳＧＳＮにハンドオーバ応答を送信し、例えばＦｏｒｗａｒｄ  Ｒｅｌｏｃａｔｉｏｎ  Ｒｅｓｐｏｎｓｅメッセージを送信する。
【００８４】
ステップ１１７では、サービスネットワークＳＧＳＮがサービスネットワーク基地局サブシステムにハンドオーバコマンドを送信し、例えばＲｅｌｏｃａｔｉｏｎ  Ｃｏｍｍａｎｄメッセージを送信する。
【００８５】
ステップ１１８では、サービスネットワーク基地局サブシステムが２つのハンドオーバコマンドを結合し、ターゲットネットワークへのハンドオーバを指示するメッセージをＵＥ−１に送信し、例えばＨＯ  ｆｏｒｍ  ＵＴＲＡＮ／ＧＥＲＡＮメッセージを送信する。
【００８６】
ステップ１１９では、ＵＥ−１がハンドオーバを実行し、ターゲットネットワークに変調する。
【００８７】
これにより、ＵＥ−１がターゲットネットワークのＰＳドメインによって、音声サービスを含むサービスを提供し、ＣＳドメインにおけるＵＥ−１の元の音声サービスはターゲットネットワークのＰＳドメインで引き続き提供されるものとすることができる。
【００８８】
（実施形態２）
図２は本発明に係る回線交換ドメインサービスをパケット交換ドメインにハンドオーバする方法の実施形態２のフローチャートである。図２に示すように、本実施形態の応用シナリオでは、ＵＥ−１がＣＳドメインを介してＵＥ−２とコールを確立する。ＵＥ−１に他の非音声のＰＳドメインサービスがある可能性があり、ＵＥ−１がターゲットネットワーク（ＰＳネットワーク）に移動した場合、すべてのサービスをターゲットネットワークのＰＳドメインにハンドオーバして提供する必要がある。本実施形態の回線交換ドメインサービスがパケット交換ドメインにハンドオーバする方法は具体的に以下のステップを含む。
【００８９】
ステップ２００は、任意的なステップであり、ＵＥ−１がＰＳベアラを確立することをサービスネットワークに要求し、例えば、Ｂｅａｒｅｒ  Ｒｅｓｏｕｒｃｅｓ  Ｃｏｍｍａｎｄメッセージを送信する。又は、ＵＥ−１は、ＩＭＳネットワークとサービスネットワークとのインタラクティブによりベアラの確立を実現し、例えば、ＩＭＳセッションを開始する。又は、ＵＥ−１は、ＩＭＳ登録過程中にＰ−ＣＳＣＦがベアラ確立を必要とすることを通知し、かつＰ−ＣＳＣＦとサービスネットワークとのインタラクティブによりベアラの確立を実現する。
【００９０】
当該ステップはハンドオーバの前にいつでも行ってもよい。ＵＥ−１が先にターゲットネットワークをアクセスした場合、ターゲットネットワークでベアラを確立することができる。この時、ターゲットネットワーク基地局システムとターゲットネットワーク制御エンティティによりベアラの確立が実現されるものである。この場合、ＵＥ−１はサービスネットワークに移動した後ＣＳサービスを確立し、後続のステップを実行する。
【００９１】
ステップ２０１では、ＵＥ−１は、そのサービスしているネットワークに測定レポートを送信して、セルの信号強度の測定情報を報告する。
【００９２】
ステップ２０２では、ＵＥ−１にサービスするネットワークの基地局サブシステムは、測定レポートにおける各セル信号強度の測定情報に応じて、近隣のＰＳターゲットネットワークがより適切にＵＥ−１にサービスすることを判断して、ハンドオーバ操作を行うことを決定する。
【００９３】
サービスネットワークの基地局サブシステムは、ＳＧＳＮにハンドオーバ要求、例えばＨａｎｄｏｖｅｒ  ｒｅｑｕｉｒｅｄメッセージを送信する。ハンドオーバ要求メッセージのターゲット識別子（ｔａｒｇｅｔ  ＩＤ）には、前記サービスネットワークの各ネットワーク要素（例えばＳＧＳＮ）により前記ハンドオーバ要求を前記ＨＯ−Ｐｒｏｘｙにルーティングするるターゲット識別子を設定してもよい。
【００９４】
ハンドオーバ要求メッセージには「ＰＳサービスがある」ことを示す情報が含まれ、例えば、ｔａｒｇｅｔ  ＩＤに含まれる。ハンドオーバプロキシはＭＳＣ、ＳＧＳＮ、又はターゲットネットワーク制御エンティティに含まれてもよい。
【００９５】
ステップ２０３では、ＳＧＳＮがＨＯ−Ｐｒｏｘｙにハンドオーバ要求メッセージを送信する。ＨＯ−Ｐｒｏｘｙがターゲットネットワーク制御ネットワーク要素に位置する場合、又はステップ２０５におけるＭＳＣと異なる別のＭＳＣに位置する場合、例えば、Ｆｏｒｗａｒｄ  Ｒｅｌｏｃａｔｉｏｎ  Ｒｅｑｕｅｓｔメッセージを送信する。
【００９６】
ハンドオーバ要求メッセージのｔａｒｇｅｔ  ＩＤは受信されたハンドオーバ要求メッセージのｔａｒｇｅｔ  ＩＤ（即ち、ＨＯ−Ｐｒｏｘｙに指す）である。ＨＯ−Ｐｒｏｘｙがステップ２０５におけるＭＳＣにある場合、ＳＧＳＮは例えば構成又は接続関係に応じてＨＯ−Ｐｒｏｘｙを確定することができる。
【００９７】
もちろん、ＨＯ−Ｐｒｏｘｙが当該ＳＧＳＮに含まれる場合、当該ＳＧＳＮに送信されるＦｏｒｗａｒｄ  Ｒｅｌｏｃａｔｉｏｎ  Ｒｅｑｕｅｓｔメッセージは同時にＨＯ−Ｐｒｏｘｙに送信され、ステップ２０３は実行されない。
【００９８】
ｔａｒｇｅｔ  ＩＤの一部の情報は現在のハンドオーバがＰＳ及びＣＳからＰＳ（即ち、「ＣＳサービスがある」と示す）へのハンドオーバであると表すことに用いられ例えば、ｔａｒｇｅｔ  ＩＤにおけるロケーションエリア識別情報（ＬＡＩ：Ｌｏｃａｔｉｏｎ  Ａｒｅａ  Ｉｄｅｎｔｉｔｙ）又はルーティングエリア識別情報（ＲＡＩ：Ｒｏｕｔｉｎｇ  Ａｒｅａ  Ｉｄｅｎｔｉｔｙ）によって示される。例えば、特定のＬＡＩ又はＲＡＩは、現在のハンドオーバがＰＳ及びＣＳからＰＳへのハンドオーバであることを識別することに用いられる。もちろん、対応する要求メッセージに専用のハンドオーバ指示識別子が設けられることにより示されてもよい。
【００９９】
ＨＯ−Ｐｒｏｘｙは先にＰＳドメインからのハンドオーバ要求を受信した後、ＨＯ−ＰｒｏｘｙがＭＳＣに位置すると、正常なＰＳドメインからＰＳドメインへのハンドオーバ要求がＨＯ−Ｐｒｏｘｙに到達しないので、ＨＯ−Ｐｒｏｘｙはこの判断結果によりＣＳドメインからのハンドオーバ要求を待つ必要がある。
【０１００】
又は、ＨＯ−Ｐｒｏｘｙは、受信したＰＳドメインからのハンドオーバ要求に「ＣＳサービスがある」ことを示す情報が含まれると判断した場合、ＣＳドメインからのハンドオーバ要求を待つ。又は、ＨＯ−Ｐｒｏｘｙは先にＣＳドメインからのハンドオーバ要求を受信した場合、ＣＳドメインハンドオーバ要求に含まれる「ＰＳサービスがある」ことと示す情報などに応じてＰＳドメインからのハンドオーバ要求を待つ。これにより、ＨＯ−Ｐｒｏｘｙは、ＰＳドメインとＣＳドメインとのハンドオーバ要求を関連つけることを実現する。
【０１０１】
もちろん、本発明は、ＰＳドメインサービスのハンドオーバ要求及びＣＳドメインサービスのハンドオーバ要求に、それぞれＣＳドメインサービス及びＰＳドメインサービスを同時にハンドオーバする識別情報を設定することができる。
【０１０２】
このように、ＰＳドメインサービスのハンドオーバ要求が先にＨＯ−Ｐｒｏｘｙにより受信され、ＣＳドメインサービスのハンドオーバ要求が先にＨＯ−Ｐｒｏｘｙにより受信されるか否かに関らず、ＨＯ−Ｐｒｏｘｙは、受信したハンドオーバ要求にＰＳ及びＣＳからＰＳにハンドオーバされる識別子が含まれるかどうかによって、ＵＥのＣＳドメインサービス及びＰＳドメインサービスをターゲットネットワークのＰＳドメインに同時にハンドオーバするかどうかを確定できる。
【０１０３】
換言すれば、ＨＯ−Ｐｒｏｘｙは、受信したハンドオーバ要求にＣＳドメインサービス及びＰＳドメインサービスを同時にハンドオーバする識別情報が含まれると判定した場合、受信した前記ＵＥのＣＳドメインサービスのハンドオーバ要求及びＰＳドメインサービスのハンドオーバ要求を確認した後、前記ターゲットネットワークの対応するネットワーク要素にハンドオーバ要求を送信し、もしくは別のハンドオーバ要求を待つ。
【０１０４】
ステップ２０４では、ＨＯ−ＰｒｏｘｙがＰＳドメインからのハンドオーバ要求メッセージを受信した場合、ＣＳドメインからのハンドオーバ要求メッセージを待つ。
【０１０５】
ステップ２０５では、サービスネットワークの基地局サブシステムが更にＭＳＣにハンドオーバ要求（即ちＣＳドメインのハンドオーバ要求メッセージ）を送信し、例えばＨａｎｄｏｖｅｒ  ｒｅｑｕｉｒｅｄメッセージを送信する。
【０１０６】
ハンドオーバ要求メッセージのターゲット識別子（ｔａｒｇｅｔ  ＩＤ）はサービスネットワークの各ネットワーク要素（例えば、ＭＳＣ）によりハンドオーバ要求が前記ＨＯ−Ｐｒｏｘｙにルーティングするされるターゲット識別子として設定されてもよい。
【０１０７】
ＵＥ−１がＰＳサービスをさらに有する場合、ハンドオーバ要求メッセージには「ＰＳサービスを有する」ことを示す情報が含まれ、この情報は例えばｔａｒｇｅｔ  ＩＤに含まれる。ハンドオーバプロキシはＭＳＣ、ＧＳＮ又はターゲットネットワークの制御エンティティに含まれてもよい。ＨＯ−ＰｒｏｘｙがＳＧＳＮにあると、ＨＯ−Ｐｒｏｘｙは指示情報に応じて判断する必要がなく、ユーザがＰＳサービスを有するかどうかについて判定できる。
【０１０８】
ステップ２０６では、ＭＳＣがＨＯ−Ｐｒｏｘｙにハンドオーバ要求メッセージを送信し、ＨＯ−Ｐｒｏｘｙが別のＭＳＣにある場合、例えばＰｒｅｐ＿ＨＯ  Ｒｅｑｕｅｓｔを送信する。ハンドオーバ要求メッセージのｔａｒｇｅｔ  ＩＤは受信したハンドオーバ要求メッセージのｔａｒｇｅｔ  ＩＤであり、ハンドオーバ要求メッセージには「ＰＳサービスを有する」ことを示す情報が含まれ、例えばｔａｒｇｅｔ  ＩＤに含まれる。
【０１０９】
ＨＯ−ＰｒｏｘｙはＳＧＳＮ又はターゲットネットワークの制御ネットワーク要素に位置する場合、例えばＣＳ  ｔｏ  ＰＳ  ＨＯ  Ｒｅｑｕｅｓｔメッセージを送信する。ここで、ＨＯ−ＰｒｏｘｙがＭＭＥに位置する時のｔａｒｇｅｔ  ＩＤ（当該ｔａｒｇｅｔ  ＩＤは必ずしも受信されたハンドオーバ要求メッセージ（Ｈａｎｄｏｖｅｒ  ｒｅｑｕｉｒｅｄ）のｔａｒｇｅｔ  ＩＤでなく、受信されたハンドオーバ要求メッセージに含まれるｔａｒｇｅｔ  ＩＤ又は他のフィールド情報によって得られる）もＨＯ−Ｐｒｏｘｙにも送信される。
【０１１０】
ＨＯ−ＰｒｏｘｙがＳＧＳＮにある場合、ＭＳＣは例えば構成又は接続関係に応じてＨＯ−Ｐｒｏｘｙを確定できる。ＨＯ−ＰｒｏｘｙはＭＭＥに位置する時、ハンドオーバ要求メッセージには「ＰＳサービスを有する」ことを示す情報が含まれ、この情報は例えばｔａｒｇｅｔ  ＩＤに含まれる。
【０１１１】
もちろん、ＨＯ−Ｐｒｏｘｙが当該ＳＧＳＮに含まれると、当該ＳＧＳＮに送信したＲｅｌｏｃａｔｉｏｎ  ＲｅｑｕｉｒｅｄメッセージはＨＯ−Ｐｒｏｘｙに同時に送信される。このように、ステップ２０６は実行されない。
【０１１２】
ステップ２０７〜２１９は前に記載した図１のステップ１０７〜１１９と同様である。
【０１１３】
これで、ＵＥ−１がターゲットネットワークのＰＳドメインによって、音声サービスを含むサービスを提供し、ＣＳドメインにおけるＵＥ−１の元の音声サービスがターゲットネットワークのＰＳドメインに引き続き提供されるものとすることができる。なお、本発明に称される「関連付け」は「同期」とも称される。
【０１１４】
同時に、本発明には、サービスネットワーク基地局システムと、ターゲットネットワーク制御エンティティと、ターゲットネットワークのＰＳドメインへのハンドオーバのためのＨＯ−Ｐｒｏｘｙとを含む、回線交換ドメインサービスをパケット交換ドメインにハンドオーバするシステムが記載されている。
【０１１５】
上記のサービスネットワーク及びターゲットネットワークはすべてハンドオーバ状態にあるＵＥに対するものであり、上記のネットワークはすべて既存のネットワークであることは当業者が理解できる。
【０１１６】
従って、本発明における回線交換ドメインサービスからパケット交換ドメインにハンドオーバするシステムの構造は明確であり、ここでは図面を示すことを省略する。
【０１１７】
上記のネットワークにおけるあるネットワーク要素は既存のネットワーク要素が実行する機能と異なるところがあり、即ち、本発明の実施形態に関するネットワーク要素には、以下の対応する機能が増設される。詳細は以下の通りである。
【０１１８】
サービスネットワーク基地局システムは、ＵＥのＣＳドメインサービスをターゲットネットワークのＰＳドメインにハンドオーバすることを決定した場合、前記ＵＥのＣＳドメインサービスハンドオーバ要求を生成して前記ＨＯ−Ｐｒｏｘｙに送信する。
前記ＨＯ−Ｐｒｏｘｙは、前記ＵＥのＣＳドメインサービスハンドオーバ要求を受信した後、前記ＵＥのＣＳドメインサービスをターゲットネットワークのＰＳドメインにハンドオーバするようにターゲットネットワーク制御エンティティに要求し、又は前記ＵＥのＣＳドメインサービスをターゲットネットワークのＰＳドメインにハンドオーバする。
【０１１９】
前記システムは、ＵＥをさらに含み、前記ＵＥは、前記サービスネットワーク基地局システムが前記ＵＥのＣＳドメインサービスをターゲットネットワークのＰＳドメインにハンドオーバすることを決定する前に、ＩＭＳネットワークを介してサービスネットワーク又はターゲットネットワークにおいてベアラを確立し、若しくはＩＭＳセッションを開始し、又は、サービスネットワークやターゲットネットワークにおいてベアラを直接に確立する。
【０１２０】
前記ＨＯ−Ｐｒｏｘｙが、前記ＵＥのＣＳドメインサービスをターゲットネットワークのＰＳドメインにハンドオーバするようにターゲットネットワーク制御エンティティに要求し、又は前記ＵＥのＣＳドメインサービスをターゲットネットワークのＰＳドメインにハンドオーバする前に、前記ＨＯ−Ｐｒｏｘｙは、前記ＵＥのＰＳドメインサービスハンドオーバ要求と前記ＵＥのＣＳドメインサービスハンドオーバ要求とを関連付ける。
【０１２１】
上記サービスネットワーク基地局システムはさらに、前記ＵＥのＣＳドメインサービスハンドオーバ要求に、前記ＵＥがＰＳドメインサービスを有するかどうかを示す識別情報を含める。
【０１２２】
前記ＵＥがさらにＰＳドメインサービスをさらに有する場合、前記サービスネットワークはさらに、前記ＵＥのＰＳドメインサービスハンドオーバ要求を前記ＨＯ−Ｐｒｏｘｙに送信する。
前記ＨＯ−Ｐｒｏｘｙはさらに、前記ＵＥのＣＳドメインとＰＳドメインサービスをターゲットネットワークのＰＳドメインにハンドオーバするようにターゲットネットワーク制御エンティティに要求し、又は前記ＵＥのＣＳドメインサービスとＰＳドメインサービスをターゲットネットワークのＰＳドメインにハンドオーバする。
【０１２３】
前記サービスネットワーク基地局システムから送信された、前記ＵＥのＰＳドメインサービスハンドオーバ要求には、前記ＵＥがＣＳドメインサービスを有することを示す識別情報が含まれる。
【０１２４】
前記ＨＯ−Ｐｒｏｘｙはさらに、前記ＵＥのＰＳドメインサービスハンドオーバ要求を受信した場合、前記ＵＥがＣＳドメインサービスをさらに有することを確定する。
【０１２５】
前記ＨＯ−Ｐｒｏｘｙはさらに、前記ＵＥのＰＳドメインサービスハンドオーバ要求を受信した場合、前記ＰＳドメインサービスハンドオーバ要求におけるＣＳドメインサービスの識別情報に応じて、前記ＵＥがＣＳドメインサービスをさらに有することを確定する。
【０１２６】
前記ＨＯ−Ｐｒｏｘｙはさらに、前記ＵＥのＣＳドメインサービスハンドオーバ要求を受信した場合、前記ＣＳドメインサービスハンドオーバ要求における、ＰＳドメインサービスを有するかどうかを示す識別情報に応じて、前記ＵＥがＰＳドメインサービスをさらに有するかどうかを確定する。
【０１２７】
前記サービスネットワーク基地局システムはさらに、前記ＣＳドメインサービスハンドオーバ要求に前記ＨＯ−Ｐｒｏｘｙに関連付け可能な情報を含め、前記ＣＳドメインサービスハンドオーバ要求を送信し、又は前記ＣＳドメインサービスハンドオーバ要求を前記ＨＯ−Ｐｒｏｘｙに送信し、又は前記ＣＳドメインサービスハンドオーバ要求をサービスネットワークＭＳＣに送信し、前記サービスネットワークＭＳＣがＣＳドメインサービスハンドオーバ要求を前記ＨＯ−Ｐｒｏｘｙに送信する。
【０１２８】
前記サービスネットワーク基地局システムはさらに、前記ＣＳドメインサービスハンドオーバ要求と前記ＰＳドメインサービスハンドオーバ要求において前記ＨＯ−Ｐｒｏｘｙに関連付け可能な情報を含み、前記ＣＳドメインサービスハンドオーバ要求及び／又は前記ＰＳドメインサービスハンドオーバ要求を送信し、又は、前記ＣＳドメインサービスハンドオーバ要求を前記ＨＯ−Ｐｒｏｘｙに送信し、前記サービスネットワーク基地局システムが前記ＰＳドメインサービスハンドオーバ要求をサービスネットワークＳＧＳＮに送信し、前記サービスネットワークＳＧＳＮはＰＳドメインサービスハンドオーバ要求を前記ＨＯ−Ｐｒｏｘｙに送信し、又は、前記ＣＳドメインサービスハンドオーバ要求をサービスネットワークＭＳＣに送信し、前記サービスネットワークＭＳＣはＣＳドメインサービスハンドオーバ要求を前記ＨＯ−Ｐｒｏｘｙ送信し、前記サービスネットワーク基地局システムは前記ＰＳドメインサービスハンドオーバ要求を前記ＨＯ−Ｐｒｏｘｙに送信する。
【０１２９】
前記ＵＥがＰＳドメインサービスを有しない場合、前記ＨＯ−Ｐｒｏｘｙはさらに、前記ＵＥのためにベアラを確立するサービスネットワークＳＧＳＮ又はターゲットネットワーク制御エンティティにベアラ情報を問い合わせ、ＰＳドメインハンドオーバ操作を実行し、前記ＵＥによって確立されたベアラを利用して前記ＵＥのＣＳドメインにおける元のサービスを供給する。
又は、前記ＵＥがＰＳドメインサービスを有する場合、前記ＨＯ−Ｐｒｏｘｙは、さらに、ＰＳドメインハンドオーバ操作を実行し、前記ＵＥによって確立されたベアラを利用して前記ＵＥのＣＳドメインにおける元のサービスを供給する。
【０１３０】
以上は、本発明の好適な実施形態に過ぎず、本発明の保護範囲を限定するものではない。
【図１】
0005645329.tif 000002
【図２】
0005645329.tif 000003